【手続補正書】
【提出日】平成18年8月15日(2006.8.15)
【手続補正１】
【補正対象書類名】明細書
【補正対象項目名】発明の名称
【補正方法】変更
【補正の内容】
【発明の名称】光情報記録方法及び光情報記録装置
【手続補正２】
【補正対象書類名】明細書
【補正対象項目名】特許請求の範囲
【補正方法】変更
【補正の内容】
【特許請求の範囲】
【請求項１】  原盤又は光情報記録媒体を回転駆動し、かつ光学ヘッドを当該原盤又は光情報記録媒体の半径方向に移動しながら、前記光学ヘッドからパルス状に強度変調されたエネルギービームを前記原盤又は光情報記録媒体の情報記録面に照射して、当該情報記録面に前記エネルギービームに対応するマークを記録する光情報記録方法において、
最内周トラック及び最外周トラックを除く１の情報トラックに前記エネルギービームを照射する際、先行する隣接トラックに記録された情報信号及び後行する隣接トラックに記録される情報信号を参照し、前記原盤又は光情報記録媒体の半径方向に関して、前記先行する隣接トラックに形成されたマークと重なり合うマーク、前記後行する隣接トラックに形成されるマークと重なり合うマーク、前記先行する隣接トラックに形成されたマーク及び前記後行する隣接トラックに形成されるマークの双方と重なり合うマーク並びに前記先行する隣接トラックに形成されたマーク及び前記後行する隣接トラックに形成されるマークのいずれとも重なり合わないマークを弁別し、
同一の情報信号に対応するマークが、隣接トラックに形成されるマークとの重なり状態に関係なく一定になるように、前記エネルギービームの強度及び／又はパルス幅を調整することを特徴とする光情報記録方法。
【請求項２】  請求項１に記載の光情報記録方法において、前記原盤又は光情報記録媒体を、ＣＡＶ方式、ＺＣＡＶ方式、ＺＣＬＶ方式又はＣＬＶ方式で回転駆動することを特徴とする光情報記録方法。
【請求項３】  原盤又は光情報記録媒体をＣＡＶ方式又はＺＣＡＶ方式で回転駆動するディスク回転部と、前記原盤又は光情報記録媒体の情報記録面と対向に配置され、記録強度と記録時間幅に関する補正信号にてパルス状に強度変調されたエネルギービームを前記情報記録面に照射する光学ヘッドと、当該光学ヘッドを前記原盤又は光情報記録媒体の半径方向に移送するキャリッジと、情報信号を出力するフォーマッタと、カッティングクロックの発生部と、前記フォーマッタから供給された情報信号より補正信号を生成して前記光学ヘッドに供給する信号補正部とを備えた光情報記録装置において、
前記信号補正部に、
トラック１周当たりの情報信号を前記フォーマッタから順次取り込む第１乃至第３のメモリと、
前記原盤又は光情報記録媒体が１回転するごとにその周方向の特定位置に対応して生成され前記ディスク回転部から出力されるインデックス信号によってリセットされ、前記カッティングクロックの発生部から出力されるトラック１周分のカッティングクロックをカウントして、前記第１乃至第３のメモリの駆動の同期をとる第１乃至第３のカウンタと、
前記第１乃至第３のメモリに記憶された情報信号のうち、記録しようとするトラックに先行する隣接トラックに記録された情報信号と後行する隣接トラックに記録しようとする情報信号とを参照して、前記記録しようとするトラックに記録される情報信号の記録レベル及び／又は記録パルス長を補正する信号補正回路とを備えたことを特徴とする光情報記録装置。
【請求項４】  原盤又は光情報記録媒体をＣＬＶ方式で回転駆動するディスク回転部と、前記原盤又は光情報記録媒体の情報記録面と対向に配置され、補正信号にてパルス状に強度変調されたエネルギービームを前記情報記録面に照射する光学ヘッドと、当該光学ヘッドを前記原盤又は光情報記録媒体の半径方向に移送するキャリッジと、情報信号を出力するフォーマッタと、カッティングクロックの発生部と、内周側補償クロックの発生部と、外周側補償クロックの発生部と、前記フォーマッタから供給された情報信号より補正信号を生成して前記光学ヘッドに供給する信号補正部とを備えた光情報記録装置において、
前記信号補正部に、
トラック１周当たりの情報信号を前記フォーマッタから順次取り込む第１乃至第４のメモリと、
前記第１乃至第４のメモリのうちのデータ記憶モードに切り換えられたメモリと同時にデータ記憶モードに切り換えられて前記メモリに記憶される情報信号と同一の情報信号の記憶を開始し、前記原盤又は光情報記録媒体が１回転するごとにその周方向の特定位置に対応して生成され前記ディスク回転部から出力されるインデックス信号の受信によって再生モードに切り換えられる交替用メモリと、
前記インデックス信号によってリセットされ、前記カッティングクロックの発生部又は内周側補償クロックの発生部若しくは外周側補償クロックの発生部から出力されるトラック１周分のクロックをカウントして、前記第１乃至第４のメモリの駆動の同期をとる第１乃至第４のカウンタ及び前記交替用メモリの駆動の同期をとる交替用カウンタと、
前記第１乃至第４のメモリ乃至前記交替用メモリに記憶された情報信号のうち、記録しようとするトラックに先行する隣接トラックに記録された情報信号と後行する隣接トラックに記録しようとする情報信号とを参照して、前記記録しようとするトラックに記録される情報信号の記録レベル及び／又は記録パルス長を補正する信号補正回路とを備えたことを特徴とする光情報記録装置。
【手続補正３】
【補正対象書類名】明細書
【補正対象項目名】０００１
【補正方法】変更
【補正の内容】
【０００１】
【発明の属する技術分野】
本発明は、光情報記録方法及び光情報記録装置に係り、特に、トラックピッチの狭小化による光情報記録媒体の高密度記録を実現する技術に関する。
【手続補正４】
【補正対象書類名】明細書
【補正対象項目名】０００７
【補正方法】変更
【補正の内容】
【０００７】
本発明は、かかる課題を解決するためになされたものであって、その目的は、トラックピッチを狭小化した場合にも正確な記録マークの形成と記録マークエッジ位置のシフトがない再生信号波形の再生が可能な光情報記録媒体を得るための光情報記録方法と光情報記録装置とを提供することにある。
【手続補正５】
【補正対象書類名】明細書
【補正対象項目名】０００８
【補正方法】変更
【補正の内容】
【０００８】
【課題を解決するための手段】
本発明に係る光情報記録方法及び光情報記録装置によって作製される光情報記録媒体は、まず第１に、情報トラックに沿って長さが異なる複数種類のプリピットの組み合わせからなるプリピット列が形成された光情報記録媒体において、前記情報トラックのピッチが０．５５μｍ以下の一定値に設定され、かつ、１の情報トラック上に配置された同一種類のプリピットの長さ又は幅のバラツキが、再生信号評価において０．０３μｍ以下に調整されているというものである。
【手続補正６】
【補正対象書類名】明細書
【補正対象項目名】０００９
【補正方法】変更
【補正の内容】
【０００９】
また、第２に、同様の光情報記録媒体において、前記情報トラックのピッチが当該光情報記録媒体に形成される最短プリピットの長さ乃至最短プリピットの長さの１．８５倍の間の一定値に設定され、かつ、１の情報トラック上に配置された同一種類のプリピットの長さ又は幅のバラツキが、再生信号評価において０．０３μｍ以下に調整されているというものである。
【手続補正７】
【補正対象書類名】明細書
【補正対象項目名】００１０
【補正方法】変更
【補正の内容】
【００１０】
原盤露光装置において、通常のビーム径は、１／ｅ2 （１３％強度比）で考えると、ビームの波長をλ、対物レンズの開口数をＮＡとしたとき、λ／ＮＡで計算される。例えば、ＤＶＤ−ＲＯＭ等のカッティングに使用するλ＝４１３ｎｍ、ＮＡ＝０．９の原盤露光装置の場合、ビーム径は０．４６μｍである。この場合にトラックピッチをビーム径と同じ０．４６μｍに設定すると、隣接トラックの露光に対してピット端において１３％程度の露光過多が発生し、その露光過多分に応じたピットマークの大きさと形成位置のずれが生じる。もちろん、トラックピッチを大きくして隣接トラックからの漏洩露光を浴びないようにすれば、隣接トラックからの影響を考慮する必要はないが、記録容量を高めるために記録線方向のみならず半径方向すなわちトラックピッチを狭めることが求められている。なお、ＤＶＤ−ＲＯＭのトラックピッチは０．７４μｍであり、ビーム径の０．４６μｍに対して１．６倍離れて記録していて、隣接トラックからの影響を受けないように配慮している。
【手続補正８】
【補正対象書類名】明細書
【補正対象項目名】００５０
【補正方法】削除
【補正の内容】
【手続補正９】
【補正対象書類名】明細書
【補正対象項目名】００５１
【補正方法】変更
【補正の内容】
【００５１】
【発明の効果】
請求項１及び２に記載の発明は、１の情報トラックに前記エネルギービームを照射する際、先行する隣接トラックに記録された情報信号及び後行する隣接トラックに記録される情報信号を参照して、前記原盤又は光情報記録媒体の半径方向に関し、前記先行する隣接トラックに形成されたマークと重なり合うマーク、前記後行する隣接トラックに形成されるマークと重なり合うマーク、前記先行する隣接トラックに形成されたマーク及び前記後行する隣接トラックに形成されるマークの双方と重なり合うマーク及び前記先行する隣接トラックに形成されたマーク及び前記後行する隣接トラックに形成されるマークのいずれとも重なり合わないマークを弁別し、同一の情報信号に対応するマークが、隣接トラックに形成されるマークとの重なり状態に関係なく一定になるように、前記エネルギービームの強度及び／又はパルス幅を調整するので、同一の情報信号に対応するマークの形状及びエッジ位置を、隣接トラックに形成されるマークとの重なり状態に関係なく一定にすることができ、形状歪みのないマークを形成できると共にマークエッジ位置のシフトがない再生信号波形を再生できるので、トラックピッチの狭小化による記録密度の改善を図ることができる。
【手続補正１０】
【補正対象書類名】明細書
【補正対象項目名】００５２
【補正方法】変更
【補正の内容】
【００５２】
請求項３及び４に記載の発明は、原盤又は光情報記録媒体を回転駆動するディスク回転部と、前記原盤又は光情報記録媒体の情報記録面と対向に配置され、補正信号にてパルス状に強度変調されたエネルギービームを前記情報記録面に照射する光学ヘッドと、当該光学ヘッドを前記原盤又は光情報記録媒体の半径方向に移送するキャリッジと、情報信号を出力するフォーマッタと、カッティングクロックの発生部と、前記フォーマッタから供給された情報信号より補正信号を生成して前記光学ヘッドに供給する信号補正部とを備えた光情報記録装置において、先行する隣接トラックに記録する情報信号と記録しようとするトラックに記録する情報信号と後行する隣接トラックに記録する情報信号を複数個のメモリに分けて記憶し、先行する隣接トラックに記録する情報信号と後行する隣接トラックに記録する情報信号を参照して記録しようとするトラックに記録する情報信号を補正するようにしたので、情報信号のオーバーラップ状態に関わりなく、同一の情報信号に対応するマークを高精度に原盤又は光情報記録媒体に記録することができる。